(57)【要約】【課題】本願発明の課題は、従来技術が抱える問題を解決することであり、すなわち、小説などストーリーが展開されるコンテンツに対して、直観的でわかりやすく、しかも容易に編集操作ができるストーリー表示プログラム、及びストーリー表示システムを提供することである。【解決手段】本願発明の「ストーリー表示プログラム」は、ページデータを順に表示することで所定のストーリーを展開するプログラムであり、ファイル読出し処理と、ページ表示処理、ページ進行処理をコンピュータに実行させる機能を備えたものである。このうちファイル読出し処理は、「ページファイル」を読み出す処理である。ここで「ページファイル」とは、複数のページデータの組合せを規定する「ページ組合せ情報」と、ページデータを表示する順を規定する「表示順情報」を具備するものである。【選択図】図４
2016170797.tif 000002
【特許請求の範囲】
【請求項１】
複数のページデータの組合せを規定するページ組合せ情報と、ページデータを表示する順を規定する表示順情報と、を具備するページファイルに基づいて、表示手段に所定の順でページデータを出力することによって、所定のストーリーを展開するストーリー表示システムであって、
前記ページファイルをもとに、前記ページ組合せ情報又は前記表示順情報を編集することで、異なるページファイルを作成するページファイル編集手段と、
前記ページファイル編集手段によって作成された前記ページファイルを含む複数の前記ページファイルを、タイトルごとに記憶するファイル記憶手段と、
前記ページファイルを特定するファイル識別情報を、タイトルごとに一覧表示するとともに、所望のファイル識別情報を選択し得るファイル選択手段と、
選択された前記ファイル識別情報に対応する前記ページファイルの前記ページ組合せ情報に基づいて、１の前記ページデータを１ページとして、表示画面内に収まるように表示するページ表示手段と、
ユーザの操作に応じ、選択された前記ファイル識別情報に対応する前記ページファイルの前記表示順情報に従って、表示する前記ページデータを切り替えるページ進行手段と、を備え、
前記ページデータには、文字情報のみからなるテキストページデータと、画像情報のみからなる画像ページデータがあり、
前記ページ組合せ情報には、少なくとも１の前記テキストページデータと、１の前記画像ページデータと、が含まれる、ことを特徴とするストーリー表示システム。
【請求項２】
前記ページファイルに対して、ユーザが投票するファイル投票手段を、さらに備え、
前記ファイル選択手段は、前記ファイル投票手段で得られた投票数に応じて、タイトルごとに一覧表示される前記ファイル識別情報の表示順を変更する、ことを特徴とする請求項１記載のストーリー表示システム。
【請求項３】
前記ページデータに対して、ユーザが投票するページ投票手段を、さらに備え、
前記ページファイル編集手段は、前記ページ投票手段で得られた投票数に応じて、異なるページファイルを作成する、ことを特徴とする請求項１又は請求項２記載のストーリー表示システム。
【発明の詳細な説明】
【技術分野】
【０００１】
本願発明は、小説などストーリーが展開される読み物を表示するする技術に関するものであり、より具体的には、スマートフォン等のデバイスのディスプレイに所定のストーリーを表示するストーリー表示プログラム、及びストーリー表示システムに関する。
【背景技術】
【０００２】
従来、小説といえば紙媒体を用いた書籍が主流であったが、近年では情報技術の飛躍的進歩に伴い、コンピュータを用いて表示するいわゆる電子書籍も多く利用されている。電子書籍を表示する端末機器（デバイス）としては、パーソナルコンピュータ（パソコン）をはじめ、タブレット型端末やスマートフォンなど多種多様なものが利用されている。
【０００３】
タッチパネル式ディスプレイを備えたタブレット型端末やスマートフォンで電子書籍を読む場合、次のページを表示するためにはユーザがフリック操作を行うのが主流である。また、ディスプレイ内に収まらないページでは、表示範囲を変更するためにスワイプ操作を行っている。
【０００４】
ところで、近年のコンピュータのユーザは、閲覧型から参加型に移行しているといわれている。つまり、単にコンテンツを見るだけでなく、ユーザがそのコンテンツに対してコメントしたり、編集したり、新たなコンテンツを作成したり、様々な形態で積極的に利用することを好んでいる。一方、電子書籍の場合、一般ユーザが小説等を編集することは、これまで行われていなかった。著作権の問題もあり、小説等を編集するという行為をそもそも予定していなかった。
【０００５】
しかしながら、著作権者の許諾があれば、小説等を編集して独自のストーリーを作成し、その作品を多くの人に読んでほしいという需要は、当然のことながら想定される。この場合、編集操作は容易であることが望ましく、例えば、前後のページを入れ替たり、あるページを削除したり、あるいは新規なページを追加するといった簡単な操作で編集できると、ユーザにとっては好適である。ところが従来の電子書籍では、１センテンスがページを跨いで表示されることも珍しくなく、ページ単位で編集できるファイル構造とはなっていない。
【０００６】
そこで特許文献１では、編集しやすいよう文書データを構造化する技術について提案している。
【先行技術文献】
【特許文献】
【０００７】
【特許文献１】特開２００４−１４５３７５号公報
【発明の概要】
【発明が解決しようとする課題】
【０００８】
特許文献１では、目次の見出しごとにデータ化し、さらに見出しに対応する本文データと見出しデータを関連付けることで、目次中の見出しの順序を入れ替えれば本文の表示順序も入れ替わるという技術を提案している。
【０００９】
特許文献１は、従来に比べ編集操作が容易になるものの、例えば文書データが小説の場合で考えたとき、直観的にわかりやすい編集操作とはいえない。つまり、本文の方を閲覧しながら、順序を入れ替えたり、部分的に削除したり、新規に追加するなど編集を行う際、結果を確認しながら操作することができない。
【００１０】
本願発明の課題は、従来技術が抱える問題を解決することであり、すなわち、小説などストーリーが展開されるコンテンツに対して、直観的でわかりやすく、しかも容易に編集操作ができるストーリー表示プログラム、及びストーリー表示システムを提供することである。
【課題を解決するための手段】
【００１１】
本願発明は、小説などを複数のページで構成するとともに、１ページごとにデータを構成するという点に着目して開発された。１ページのデータは、ディスプレイ内に表示されるように作成され、さらにそのページだけで内容が把握できるように作成される。また、ひとつの作品に対して、画像のみのページとテキスト（文字）のみのページが含まれているため、読みやすいだけでなく編集操作も極めて分かりやすい。
【００１２】
本願発明の「ストーリー表示システム」は、ページファイルに基づいて、表示手段に所定の順でページデータを出力することによって、所定のストーリーを展開するシステムであり、ページファイル編集手段と、ファイル記憶手段、ファイル選択手段、ページ表示手段、ページ進行手段を備えたものである。このうちページファイル編集手段は、ページファイルをもとに、ページ組合せ情報又は表示順情報を編集することで、異なるページファイルを作成する手段である。ファイル記憶手段は、複数のページファイル（ページファイル編集手段によって作成されたページファイルを含む）をタイトルごとに記憶する手段である。ファイル選択手段は、ページファイルを特定するファイル識別情報を、タイトルごとに一覧表示するとともに、所望のファイル識別情報を選択し得る手段である。ページ表示手段は、選択されたファイル識別情報に対応するページファイルのページ組合せ情報に基づいて、１のページデータを１ページとして表示画面内に収まるように表示する手段である。そしてページ進行手段は、ユーザの操作に応じて、選択されたファイル識別情報に対応するページファイルの表示順情報に従って、表示するページデータを切り替える手段である。
【００１３】
本願発明の「ストーリー表示システム」は、ページファイルに対してユーザが投票するファイル投票手段を、さらに備えたものとすることもできる。この場合、ファイル選択手段は、ファイル投票手段で得られた投票数に応じて、タイトルごとに一覧表示されるファイル識別情報の表示順を変更する。
【００１４】
本願発明の「ストーリー表示システム」は、ページデータに対して、ユーザが投票するページ投票手段を、さらに備えたものとすることもできる。この場合、ページファイル編集手段は、ページ投票手段で得られた投票数に応じて、異なるページファイルを作成する。
【００１５】
本願発明の「ストーリー表示プログラム」は、データ加除処理をコンピュータに実行させる機能をさらに備えたものとすることもできる。データ加除処理は、ページ組合せ情報に含まれるページデータを削除することができるとともに、ページ組合せ情報に新たなページデータを追加することができる処理である。
【００１６】
本願発明の「ストーリー表示プログラム」は、表示順情報を変更することができる表示順編集処理を、コンピュータに実行させる機能をさらに備えたものとすることもできる。
【００１７】
本願発明の「ストーリー表示プログラム」は、選択処理をコンピュータに実行させる機能をさらに備えたものとすることもできる。選択処理は、ページ表示処理によって表示される選択肢情報から、ユーザが所望の選択肢を選択することができる処理である。この場合、ページ組合せ情報は、選択肢情報を具備するページデータを含み、表示順情報は、表示順が複数に枝分かれする分岐表示順情報を含む。そしてページ進行処理が、複数の分岐表示順情報の中から選択された選択肢に基づいて１の分岐表示順情報を決定する。
【００１８】
本願発明の「ストーリー表示プログラム」は、映像を表示するものとすることもできる。この場合、ページ組合せ情報は、映像情報を具備するページデータを含み、ページ表示処理は、映像再生用の情報を表示手段に表示する。そしてページ進行処理が、ユーザの操作に応じて映像情報に対応する映像を再生する。
【００１９】
本願発明の「ストーリー表示プログラム」は、読み出された音声データを出力する音声出力処理を、コンピュータに実行させる機能をさらに備えたものとすることもできる。この場合、ファイル読出し処理が、音声情報を有する音声データを読み出す。
【００２０】
本願発明の「ストーリー表示システム」は、ページファイルに基づいて、表示手段に所定の順でページデータを出力することによって、所定のストーリーを展開するシステムであり、ページファイル編集手段と、ファイル記憶手段、ファイル選択手段、ページ表示手段、ページ進行手段を備えたものである。このうちページファイル編集手段は、ページファイルをもとに、ページ組合せ情報又は表示順情報を編集することで、異なるページファイルを作成する手段である。ファイル記憶手段は、複数のページファイル（ページファイル編集手段によって作成されたページファイルを含む）をタイトルごとに記憶する手段である。ファイル選択手段は、ページファイルを特定するファイル識別情報を、タイトルごとに一覧表示するとともに、所望のファイル識別情報を選択し得る手段である。ページ表示手段は、選択されたファイル識別情報に対応するページファイルのページ組合せ情報に基づいて、１のページデータを１ページとして表示画面内に収まるように表示する手段である。そしてページ進行手段は、ユーザの操作に応じて、選択されたファイル識別情報に対応するページファイルの表示順情報に従って、表示するページデータを切り替える手段である。
【発明の効果】
【００２１】
本願発明のストーリー表示プログラム、及びストーリー表示システムには、次のような効果がある。
（１）一般ユーザが、小説等を編集できることから、参加型の新たなコンテンツを提供することができる。
（２）ページ単位で編集できるため操作が容易であり、さらにページを見ながら編集できるため直観的で分かりやすい。
（３）画像のみのページと、テキストのみのページでストーリーが展開されていくため、極めて読みやすい。
【図面の簡単な説明】
【００２２】
【図１】ページデータによってストーリーが展開されること示す説明図。
【図２】ページ組合せ情報と表示順情報が記述されているページファイルを示す説明図。
【図３】（ａ）はテキストページデータがスマートフォンのディスプレイに表示された状態を示す説明図、（ｂ）は画像ページデータがスマートフォンのディスプレイに表示された状態を示す説明図。
【図４】本願発明のストーリー表示システムを示すブロック図。
【図５】表示手段に一覧表示されたファイル識別子を示すモデル図。
【図６】ページファイル編集手段を備えたストーリー表示システムの一部を示すブロック図。
【図７】ページファイルのデータ加除処理を示す説明図。
【図８】ページファイルの表示順編集処理を示す説明図。
【図９】「正しい」と「正しくない」の２つの選択肢情報をディスプレイに表示したことを示す説明図。
【図１０】ストーリーが途中で分岐する場合のページファイルを示す説明図。
【図１１】映像を再生する場合のストーリー展開を示す説明図。
【図１２】音声を出力する場合のストーリー展開を示す説明図。
【図１３】リンク情報をディスプレイに表示したことを示す説明図。
【図１４】ファイル投票手段を備えたストーリー表示システムの一部を示すブロック図。
【図１５】１つのページファイルのうち所定のページデータに対して投票する仕組みを示すブロック図。
【発明を実施するための形態】
【００２３】
本願発明のストーリー表示プログラム、及びストーリー表示システムの例を、図に基づいて説明する。
【００２４】
１．全体概要
本願発明は、タブレット型端末やスマートフォン、あるいはパソコンといったデバイスに、複数のページを順に表示してストーリーを展開するものである。例えば図１では、数多くのページデータの中から８個のページデータが選択され、これらページデータをあらかじめ定められた順序で表示していくことでストーリーを展開している。なお、ページの切り替え（遷移）は、タッチパネル式ディスプレイを備えたデバイスの場合はフリックやタップといったユーザの操作で、パソコンの場合はクリック等のユーザ操作によって行う。
【００２５】
図１についてさらに具体的に説明すると、相当数のページデータの中から、ページデータＤｔ−０１，Ｄｔ−１４，Ｄｔ−１６，Ｄｔ−１８，Ｄｔ−３９，Ｄｐ−０６，Ｄｐ−２６，Ｄｐ−２８の８個のページデータが選出されて組み合わされ、これらをページデータＤｔ−０１→Ｄｔ−３９→Ｄｐ−２８→Ｄｔ−１８→Ｄｐ−２６→Ｄｔ−１６→Ｄｐ−０６→Ｄｔ−１４の順で表示していくことで、読み手（ユーザ）にストーリーを伝達する。このようなページデータの組み合わせと表示順序を定めるのが、図２に示すページファイルＰｆである。図２に示すように、複数（図では８個）のページデータの組合せを規定するのが「ページ組合せ情報」であり、ページデータを表示する順を規定するのが「表示順情報」であり、ページファイルＰｆにはこれらページ組合せ情報と表示順情報が記述されている。
【００２６】
ここでページデータとは、デバイスのディスプレイに１画面として表示する内容を１つのデータファイルとしたものである。したがって、デバイスの種類、あるいは製品ごとに対応するページデータを作成すると良い。そしてページデータには、テキスト（文字）のみからなる「テキストページデータ」と、画像情報のみからなる「画像ページデータ」の２種類があり、図１ではテキストページデータをＤｔとして、画像ページデータをＤｐとして表している。
【００２７】
図３は、ページデータがスマートフォンのディスプレイに表示された状態を示す説明図であり、（ａ）はテキストページデータの場合を、（ｂ）は画像ページデータの場合を示している。この図からも分かるように、１つのページデータはディスプレイ内に収まるように表示され、しかもそのページだけで状況が把握できるように構成されている。したがって、テキストページデータの場合は、ページの最後が読点（。）、あるいは』や）のようなカッコで終えられ、画像ページデータの場合は、１つの画像で構成されると良い。テキストページデータの場合、文字数の制限値（閾値）を設定することもできる。この場合も、デバイスの種類、あるいは製品ごとに個別に設定すると良い。
【００２８】
２．構成要素
図４は、本願発明のストーリー表示システム１００を示すブロック図である。この図を参照しながら、本願発明を構成する各要素について詳しく説明する。なお、ストーリー表示システム１００は、専用のものとして製造することもできるが、汎用的なコンピュータ装置を用いることもできる。このコンピュータ装置は、パソコンや、ｉＰａｄ（登録商標）といったタブレットＰＣ、あるいはＰＤＡ（Ｐｅｒｓｏｎａｌ  Ｄａｔａ  Ａｓｓｉｓｔａｎｃｅ）などによって構成することができる。
【００２９】
（ページデータ記憶手段）
テキストページデータＤｔや画像ページデータＤｐは、ページデータ入力手段１０１によって入力され、ページデータ記憶手段１０２に記憶される。ページデータは、小説などの作品（タイトル）ごとに記憶することもできるし、特に分類することなく記憶することもできる。ページデータは、他と識別できるファイル名が付与されるか、他と識別するための識別子と関連付けられる。
【００３０】
（ページファイル記憶手段）
ページファイルＰｆは、ページファイル入力手段１０３によって入力され、ページファイル記憶手段１０４に記憶される。なお、ページファイルＰｆは、タイトルごとに記憶される。つまりページファイル記憶手段１０４は、１つのタイトルにつき多数のページファイルＰｆを記憶することができ、そのためページファイルＰｆは、他と識別するための識別子（以下、「ファイル識別子」という。）と関連付けられて記憶される。
【００３１】
（ファイル識別子の表示）
ユーザが本願発明を利用して小説等を読む場合、まずタイトルを指定し、そしてタイトルごとに記憶された個々の作品（つまりページファイルＰｆ）から所望のものを選択する。具体的には、ユーザがタイトルを指定すると、ファイル識別子読出し手段１０５が当該タイトルのファイル識別子を読み出す。そして、読み出されたファイル識別子は、ファイル識別子表示手段１０６によってディスプレイに表示される。図５は、表示手段（ディスプレイ）に一覧表示されたファイル識別子を示すモデル図である。この図の例では、識別子が「Ｎｏ．１０２」のように構成されており、識別子のほか作者名や登録日など、ページファイルＰｆに関する簡単な情報も表示されている。
【００３２】
タイトルごとにファイル識別子の一覧が表示されると、タップ操作等によって一つのページファイルＰｆを選択する。ここでファイル識別子を選択し、さらに選択されたファイル識別子でページファイル記憶手段１０４に問い合わせるのが、ファイル選択手段１０７である。ファイル選択手段１０７の問い合わせに応じて特定されたページファイルＰｆは、ページファイル読出し手段１０８によって読み出される。
【００３３】
（ページデータの表示）
ページデータ読出し手段１０９は、ページファイルＰｆに記述されたページ組合せ情報に従って、ページデータ記憶手段１０２から所定のページデータを読み出す。例えば図１の例では、８個のページデータが読み出されるわけである。さらに、ページファイルＰｆに記述された表示順情報に従って、読み出したページデータを所定の順序に並び替える。そして、ページ表示手段１１０が、先頭のページデータをディスプレイに表示させる。このとき、既述のとおり１つのページデータがディスプレイ内に収まるように表示される。
【００３４】
（ページの遷移）
フリックやタップ、あるいはクリックといったユーザの操作に応じて、次のページに切り替わる。このとき、ページ進行手段１１１が、ページファイルＰｆに記述された表示順情報に従って適切なページデータを指定し、当該ページデータがページ表示手段１１０によって表示される。
【００３５】
（ページファイルの編集）
ページファイルＰｆを編集することによって、異なるページファイルＰｆを作成することができる。つまり、オリジナルの作品を基に、異なるバージョンの作品を作成するわけである。その結果、図５に示すように、ひとつのタイトルに対して多数の作品（ページファイルＰｆ）が作成される。
【００３６】
図６は、ページファイル編集手段１１２を備えたストーリー表示システム１００の一部を示すブロック図である。ページファイルＰｆを編集する場合、ページファイル読出し手段１０８によって所望のページファイルＰｆを読み出し、このページファイルＰｆをページファイル編集手段１１２によって編集し、編集後のページファイルＰｆを異なるものとしてページファイル記憶手段１０４に記憶させる。
【００３７】
ページファイル編集手段１１２は、データ加除処理や表示順編集処理といったページファイルＰｆの編集処理を行うことができる。図７は、ページファイルＰｆのデータ加除処理を示す説明図である。この図に示すようにデータ加除処理では、ページファイルＰｆに記述されたページ組合せ情報から、任意のページデータを削除することができ、そして新たなページデータを追加することができる。
【００３８】
一方、図８は、ページファイルＰｆの表示順編集処理を示す説明図である。この図に示すように表示順編集処理では、ページファイルＰｆに記述された表示順情報に対して、表示するページデータの順序を変更することができる。もちろん、画像ページデータやテキストページデータどうしの順序を入れ替えることもできるし、画像ページデータとテキストページデータの順序を入れ替えることもできる。
【００３９】
（ストーリーの分岐）
ストーリーは、一通りの展開とすることもできるし、途中ユーザの選択に応じて以降の展開を変更させることもできる。例えば、ページデータに選択肢情報を持たせ、これをディスプレイに表示して、ユーザに選択させる。図９は、「正しい」と「正しくない」の２つの選択肢情報をディスプレイに表示したことを示す説明図である。ユーザは、ここまでのストーリー展開を踏まえ、自身の判断に合わせて「正しい」／「正しくない」のいずれかを選択し、タップ等の操作でその結果を入力する。
【００４０】
ストーリーが途中で分岐する場合のページファイルＰｆは、例えば図１０に示すようなものとすることができる。この図では、ページデータＤｔ−３９と、ページデータＤｔ−１６、ページデータＤｔ−２１に２択の選択肢情報が記述されており、これらのページデータを表示すると、合わせて選択肢情報も表示され、ページ進行手段１１１は入力された選択肢に応じて以降のページデータとその表示順（分岐表示順情報）を決定する。
【００４１】
（映像の再生）
ページデータには、映像に関する情報（以下、「映像情報」という。）を持たせることもできる。図１１は、映像を再生する場合のストーリー展開を示す説明図である。この図ではページデータＤｐ−２８に、映像データＤｍ−０２の映像情報が記述されており、ページデータＤｐ−２８が表示されたときのユーザの操作に応じて、映像データＤｍ−０２を読み出して再生する。再生が終わると、元のページデータＤｐ−２８、あるいは次のページデータＤｔ−１８が表示される。なお、映像情報を含むページデータを表示するときは、映像再生用の情報、例えば図１１に示す再生ボタンなども合わせて表示する。
【００４２】
（音声の出力）
ページデータやページファイルＰｆには、音声に関する情報を（以下、「音声情報」という。）を持たせることもできる。図１２は、音声を出力する場合のストーリー展開を示す説明図である。この図では、ページデータＤｐ−０１に音声Ｓ０１の音声情報が含まれ、同様にページデータＤｐ−２８、Ｄｔ−１８、Ｄｔ−１６、Ｄｐ−０６、Ｄｔ−１４にそれぞれ所定の音声情報が含まれている。また、ページファイルＰｆには音声Ｓ０７の音声情報が含まれている。この結果、音声情報を含むページデータが表示されるときは、この音声情報に対応する音声データが読み出され、音声出力手段（処理）によって出力される。ページファイルＰｆが音声情報を含む場合は、所定の期間（例えば、最初から最後まで）、読み出した音声データを出力する。
【００４３】
（リンクの表示）
ページデータには、他のサイトへ遷移するためのＵＲＬなどの情報（以下、「リンク情報」という。）を持たせることもできる。図１３は、リンク情報をディスプレイに表示したことを示す説明図である。この図のように、食べ物のシーンになった時、外食産業のサイトへ案内すると購買意欲が増すため、効果的な宣伝を行うことができる。ＵＲＬのほか、直接広告を表示させたり、アフリエイトの機能を持たせたり、地図を表示させたり、種々のリンク情報を表示させることもできる。
【００４４】
（メタデータ）
その他、ページデータには、メタデータを持たせることもできる。メタデータとしては、そのページのシーンの時刻や場所、登場人物といった属性情報を例示することができる。このような情報を有することで、所定の目的でページデータを並び替える（つまり、表示順情報を変更する）処理等が、極めて容易に行える。したがって、メタデータは必ずしもディスプレイに表示させる必要はない。
【００４５】
（ファイル投票）
図５では、ファイル識別子を登録日順に一覧表示しているが、これに限らず種々の順で一覧表示させることもできる。例えば、タイトルを読むユーザの評価に応じて一覧表示すると、選択するときの参考となって好適である。図１４は、ファイル投票手段を備えたストーリー表示システム１００の一部を示すブロック図である。タイトルを読むユーザが、所望の作品（ページファイルＰｆ）に対して投票する旨を、ファイル投票手段１１３によって入力すると、その結果はファイル投票情報記憶手段１１４に記憶される。投票情報読出し手段１１５が、ページファイルＰｆに付与された投票情報を投票情報記憶手段１１４から読み出し、その結果に応じて、ファイル識別子並び替え手段１１６がファイル識別子を並び替える。例えば、ファイル識別子読出し手段１０５が読み出した複数のファイル識別子を、得票が多いものから昇順で、ファイル識別子表示手段１０６によって一覧表示させることができる。
【００４６】
（ページ投票）
ページファイルＰｆに対してだけでなく、ページデータに対して投票させる仕組みを取り入れることもできる。図１５は、１つのページファイルＰｆのうち所定のページデータに対して投票する仕組みを示すブロック図である。この図では、３番目に表示するページデータの候補としてＤｔ−１８と、Ｄｐ−５１、Ｄｔ−２５が示されており、タイトルを読むユーザがそれぞれのページに対して投票している。具体的には、ユーザはページ投票手段１１７によって、所望のページデータに投票する旨を入力し、その結果がページ投票情報記憶手段１１８に記憶される。そして、ページファイル編集手段１１２がページ投票情報記憶手段１１８から投票結果を読み出し、例えば最も得票数の多いページデータを選出して、新たなページファイルＰｆを作成し、ページファイル記憶手段１０４に記憶させる。図１５の例では、Ｄｔ−２５が最も票を集めており、３番目に表示されるのはページデータＤｔ−２５であることを、ページファイル編集手段１１２がページファイルＰｆに記述する。
【産業上の利用可能性】
【００４７】
本願発明のストーリー表示プログラム、及びストーリー表示システムは、小説のほか、随筆や論文、詩集、旅行記など様々な読み物に利用することができ、今後、様々な産業界での応用が期待できる発明である。
【符号の説明】
【００４８】
１００  ストーリー表示システム
１０１  ページデータ入力手段
１０２  ページデータ記憶手段
１０３  ページファイル入力手段
１０４  ページファイル記憶手段
１０５  ファイル識別子読出し手段
１０６  ファイル識別子表示手段
１０７  ファイル選択手段
１０８  ページファイル読出し手段
１０９  ページデータ読出し手段
１１０  ページ表示手段
１１１  ページ進行手段
１１２  ページファイル編集手段
１１３  ファイル投票手段
１１４  ファイル投票情報記憶手段
１１５  投票情報読出し手段
１１６  ファイル識別子並び替え手段
１１７  ページ投票手段
１１８  ページ投票情報記憶手段
【図１】
2016170797.tif 000003
【図２】
2016170797.tif 000004
【図３】
2016170797.tif 000005
【図４】
2016170797.tif 000006
【図５】
2016170797.tif 000007
【図６】
2016170797.tif 000008
【図７】
2016170797.tif 000009
【図８】
2016170797.tif 000010
【図９】
2016170797.tif 000011
【図１０】
2016170797.tif 000012
【図１１】
2016170797.tif 000013
【図１２】
2016170797.tif 000014
【図１３】
2016170797.tif 000015
【図１４】
2016170797.tif 000016
【図１５】
2016170797.tif 000017